(57)【要約】【課題】本発明は各種電気音響変換器に使用されるスピーカのスピーカ取付装置に関するものであり、取り付け、取り外しが容易で密閉性を確保したスピーカ取付装置を提供することを目的とするものである。【解決手段】本発明のスピーカ取付装置は、スピーカ１１のフレーム１２の外周に係止片１３とスナップ状の係止片１４を設け、取付板１５の取付面１５ａの壁部１５に設けた係合用凹部１５ｄ，１５ｅに引掛け、係止片を変形させて係合させて取り付け、このスナップ状の係止片１４を広げることで容易に脱着可能とするとともに、この係止片１３，１４の内側でスピーカ取付孔１５ｂの周囲にシール材１６を配置することで障害ない密閉を可能とするものである。【選択図】  図１
2005006155.tif 000002
【特許請求の範囲】
【請求項１】
外周にフレームを有するスピーカと、このスピーカに取付孔部を設けた取付面を周囲に側壁を設けた凸状部上に設けた取付板とからなるスピーカ取付装置であって、前記フレーム外周側の裏面に突出して設けられた複数の係止片と、前記フレーム外周側の裏面に突出して設けられたスナップ状の係止片と、前記複数の係止片と前記スナップ状の係止片の内側のフレーム部分に前記取付孔部の周囲に配置されたシール材と、前記係止片と前記スナップ状の係止片とを夫々係合する前記取付板の側壁に設けた係合凹部とで構成されるスピーカ取付装置。
【請求項２】
外周にフレームを有するスピーカと、このスピーカに取付孔部を設けた取付板とからなるスピーカ取付装置であって、前記フレーム外周側の裏面に突出して設けられた複数の係止片と、前記フレーム外周側の裏面に突出して設けられたスナップ状の係止片と、前記複数の係止片と前記スナップ状の係止片の内側のフレーム部分に前記取付孔部の周囲に配置されたシール材と、前記係止片と前記スナップ状の係止片とを夫々係合する前記取付板に設けた係合凹部とで構成されるスピーカ取付装置。
【請求項３】
スナップ状の係止片の端部に係合凹部との係合を解除する解除爪部を設けた請求項１または請求項２に記載のスピーカ取付装置。
【請求項４】
前記スナップ状の係止片を弾性を有する金属薄板で形成した請求項１または請求項２または請求項３に記載のスピーカ取付装置。
【発明の詳細な説明】
【０００１】
【発明の属する技術分野】
本発明は車輛に搭載するスピーカに関し、ドアパネル等に容易にスピーカを取り付け、取り外すことができ、かつ取付部分とスピーカの間の密閉性が確保できるスピーカ取付装置に関するものである。
【０００２】
【従来の技術】
従来の技術を図４のスピーカと取付部との結合状態を示す断面図により説明する。
【０００３】
同図によると、１は内部構造は説明を省略するが外周に樹脂成形により形成されたフレーム２を有するスピーカであり、３はそのフレーム２の外周側の後方に設けられた爪部であり、６は同じく外周側の後方に設けられたクリップであり、取付板４の凸状加工した頂面の取付面４ａに設けられたスピーカ取付用孔５の端部に爪部３を引掛け、前記クリップ６を爪部３と反対側のスピーカ取付用孔５の端部にスナップにより弾性を持たせて係合させて取付面４ａに取り付けられるものである。
【０００４】
また、フレーム２と取付面４ａとの隙間４ｂよりピン（図示せず）を挿入し、クリップ６に力を加えてクリップ６を変形させることでクリップ６とスピーカ取付用孔５の端部との係合を解除し、スピーカ１を取付面４より取り外すことができる。
【０００５】
なお、スピーカ１と取付面４ａとの密閉性は、雨水の侵入の防止という意味から重要な要素となるが、これはフレーム２の外周部全周に設けられたシール材７を取付面４との間で密着させることにより行なう構成となっている。このような構成の従来技術としては、特許文献１がある。
【０００６】
【特許文献１】
特開２００２−１３５８７３号公報
【０００７】
【発明が解決しようとする課題】
しかしながら上記の従来の構成では、スピーカ１を取付面４ａから取り外す際には、フレーム２と取付面４との隙間４ｂよりピンを挿入し、クリップ６に力を加えてクリップ６を変形させて、係合を解除させる必要がある。よって、ピンを挿入する位置のフレーム２と取付面４との隙間４ｂは、フレーム２と取付面４の密閉性を上げる為に小さくすればピンが挿入しにくく、取り外す作業が困難となり、逆に大きくすれば密閉性を損なうという課題を有していた。
【０００８】
本発明は上記従来の問題点を解決するもので、スピーカ取付部に対して容易にスピーカを取り付け、取り外すことができ、かつ取付部とスピーカの間の密閉性が確保できるスピーカ取付装置を提供することを目的とするものである。
【０００９】
【課題を解決するための手段】
上記課題を解決するために本発明のスピーカ取付装置の請求項１に記載のものは、外周にフレームを有するスピーカと、このスピーカを取り付ける孔部を設けた取付面を周囲に側壁を設けた凸状部上に設けた取付板とからなるスピーカ取付装置であって、前記フレーム外周側の裏面に突出して設けられた複数の係止片と、前記フレーム外周側の裏面に突出して設けられたスナップ状の係止片と、前記複数の係止片と前記スナップ状の係止片の内側のフレーム部分に全周に亘り配置されたシール材と、前記係止片と前記スナップ状の係止片とを夫々係合する前記取付板の側壁に設けた係合凹部とで構成したものであり、係止片およびスナップ状の係止片の内側にシール材を配置して、スピーカの装着操作部分より内側でスピーカの取付孔の周囲をシールして取付面との密閉性を充分に確保するものである。
【００１０】
本発明のスピーカ取付装置の請求項２に記載のものは、請求項１に記載の取付板を平面状にしたものであり、請求項１と同様の効果を有するものである。
【００１１】
本発明のスピーカ取付装置の請求項３に記載のものは、請求項１または請求項２に記載のスナップ状の係止片の端部に係合凹部との係合を解除する解除爪部を設けたものであり、解除爪部を操作することで治具の使用なしにスピーカの取り外しが容易に行なえるものである。
【００１２】
本発明のスピーカ取付装置の請求項４に記載のものは、請求項１または請求項２または請求項３に記載のスナップ状の係止片を弾性を有する金属薄板で形成したものであり、インサート成形等によりフレームを樹脂成形で形成したときでも金属薄板によりスナップ状の係止片を別部品で形成してフレームと一体化することにより、フレームとして必要な剛性とスナップ状の係止片として必要な弾性を満足させたフレームを可能とするものである。
【００１３】
【発明の実施の形態】
以下、本発明の一実施の形態について図１〜図３により説明する。
【００１４】
（実施の形態１）
以下本発明のスピーカの一実施の形態について図１のスピーカと取付部との結合状態を示す側断面図により、主として請求項１について説明する。
【００１５】
同図によると、１１は内部構造は説明を省略するが外周に樹脂成形により形成されたフレーム１２を有するスピーカであり、１３はそのフレーム１２の最外周から後方に延長された係止片であり、下方の両側に夫々設けられている。１４は最外周の上部中央から後方に突出して設けられたスナップ状の係止片である。
【００１６】
１５は車輛用ドアのインナーパネルなどのスピーカ１１を取り付ける樹脂成形により形成された取付板であり、凸状加工した頂面の取付面１５ａにスピーカ取付用孔１５ｂを設けると共に、取付板１５の取付面１５ａを突出させている側壁１５ｃの前記係止片１３の対応位置には図に示すごとく係止片１３を引掛ける係合用凹部１５ｄが形成されるとともに、前記スナップ状の係止片１４との対応位置にはこのスナップ状の係止片１４の弾性を利用して係合する他の係合用凹部１５ｅが設けられている。
【００１７】
１６はスピーカ用取付孔１５ｂとフレーム１２の間でこのスピーカ用取付孔１５ｂを囲むように形成されたシール材であり、フレーム１２と取付面１５ａ間に挟持されて、この間の密閉を確保し、スピーカ１１を水の侵入から保護している。
【００１８】
このような構成により、本発明によるスピーカ取付装置は、係合用凹部１５ｄに係止片１３を引掛け、スナップ状の係止片１４を他の係合用凹部１５ｅにスナップ状係止片１４の傾斜部１４ａを押し当てて挿入することにより、段部１４ｂで他の係合用凹部１５ｅと係合し、スピーカ１１の取付を終了する。
【００１９】
また、スピーカ１１の取り外しはスナップ状の係止片１４を直接押し広げることで取り外し治具等を使用することなく容易に行なえるものである。
【００２０】
また、シール材１６をスピーカ用取付孔１５ｂとフレーム１２の外周の間で前記係止片１３やスナップ状の係止片１４より内周で前記スピーカ用取付孔１５ｂを囲むように形成したことにより、密閉がスピーカ１１の係止手段に関係なく確保されることとなる。
【００２１】
また、係止片１３やスナップ状の係止片１４はフレーム１２の外周側にあるので、スピーカ１１の脱・装着時に視認ができて、脱装着の作業が容易に行なえると共に、係合状態も容易に確認できるという効果も有するものである。
【００２２】
（実施の形態２）
以下本発明のスピーカ取付装置の他の実施の形態について図２のスピーカと取付部との結合状態を示す側断面図により主として請求項２について説明する。なお、説明にあたっては図１の実施の形態１と同一部分については同一番号を付与し、説明を省略して説明する。
【００２３】
同図により実施の形態１のスピーカ取付装置との相違点のみ説明すると、１４ｃは解除爪部であり、スナップ状の係止片１４の外周側に突出させて設けたものである。
【００２４】
この解除爪部１４ｃを引き起こすことでスナップ状の係止片１４と他の係合用凹部１５ｅとの係合状態を解除し、スピーカ１１の取り外しを極めて容易に行なえるものである。
【００２５】
（実施の形態３）
以下本発明の他の実施の形態を図３のスピーカと取付部との結合状態を示す側断面図により主として請求項３について説明する。なお、説明にあたっては図１の実施の形態１と同一部分については同一番号を付与し、説明を省略して説明する。
【００２６】
同図により実施の形態１のスピーカ取付装置との相違点のみ説明すると、相違点は樹脂成形により形成されたスピーカ１１のフレーム１２ａの外周にスナップ状の係止片２０を別部品として設けた点にある。
【００２７】
このスナップ状の係止片２０は金属薄板から形成されており、インサート成形によりフレーム１２ａと一体化されると共に、折曲げ加工により図１のスピーカ１１のスナップ状の係止片１４の傾斜部１４ａに相当する第２の曲げ部２０ｂ、同段部１４ｂに相当する第１の曲げ部２０ａを設けたものである。
【００２８】
なお、このスナップ状の係止片２０の先端部２０ｃは若干上方（外周方向）に折り曲げられて実施の形態２の解除爪部１４ｃと同様に、引き起こすことで他の係合用凹部１５ｅとの係合状態の解除を容易に行なえるものである。
【００２９】
以上のように、本実施の形態はフレーム１２ａとスナップ状の係止片２０を別部材で形成したことにより、スナップ状の係止片２０の材質を自由に選択してスナップ状の係止片２０の弾性をフレーム１２ａの所要特性にこだわらず適宜選択して、他の係合用凹部１５ｅとの係合状態や取付装置の置かれる環境条件に応じたスナップ状の係止片２０の形成を可能とするものである。
【００３０】
なお、前述の各実施の形態において取付面１５は壁部１５ｃを有する突出部分であることを前提に説明したが、他の係合凹部１５ｅにスナップ状係止片１４，２０の取り外し時にスナップ状係止片を広げて係合状態を外す操作に足る大きさがあれば、取付面は突出しない平面であっても良い。
【００３１】
【発明の効果】
以上のように本発明は、スナップ状の係止片へ直接力を加えることで変形させ、スピーカを取付面より容易に取り外すことができる上、取付部とスピーカの間の密閉性が確保できる優れたスピーカ取付装置の提供を可能とするものである。
【図面の簡単な説明】
【図１】本発明のスピーカ取付装置の一実施の形態のスピーカと取付部との結合状態を示す側断面図
【図２】同本発明の他の実施の形態のスピーカと取付部との結合状態を示す側断面図
【図３】同本発明の他の実施の形態のスピーカと取付部との結合状態を示す側断面図
【図４】従来のスピーカ取付装置のスピーカと取付部との結合状態を示す側断面図
【符号の説明】
１１  スピーカ
１２，１２ａ  フレーム
１３  係止片
１４  スナップ状の係止片
１４ａ  傾斜部
１４ｂ  段部
１４ｃ  解除爪部
１５  取付板
１５ａ  取付面
１５ｂ  スピーカ取付用孔
１５ｃ  側壁
１５ｄ  係合用凹部
１５ｅ  他の係合用凹部
１６  シール材
２０  スナップ状の係止片
２０ａ  第１の曲げ部
２０ｂ  第２の曲げ部
２０ｃ  先端部
【図１】
2005006155.tif 000003
【図２】
2005006155.tif 000004
【図３】
2005006155.tif 000005
【図４】
2005006155.tif 000006